(57)【要約】【課題】  従来の技術としては、ライン引き用液を流出口まで導管で導いたもの。ライン引きの補助具であり、自動でラインを引くことのできるものではないもの。排出出口から放出される粉体の量が一定で、引かれたラインに凹凸を生じることがないものがあが、これもまた、自動でラインが引けない。【解決手段】ライン引き本体に、少なくとも１輪を左右前後自在に駆動する駆動輪を設けると共に、駆動輪を制御し、ライン粉を必要量落下させるライン部を制御する制御部を設けてなることを特徴とする。【選択図】図１
2016198462.tif 000002
【特許請求の範囲】
【請求項１】
ライン引き本体に、少なくとも１輪を左右前後自在に駆動する駆動輪を設けると共に、駆動輪を制御し、ライン粉を必要量落下させるライン部を制御する制御部を設けてなることを特徴とする自動ライン引き装置。
【請求項２】
直線をライン引きすべく、反射板とレーザー送受信装置を設けてなることを特徴とする請求項１記載の自動ライン引き装置。
【請求項３】
曲線をライン引きすべく、少なくとも２点のデータを入力することにより制御できる曲線制御部を設けてなることを特徴とする請求項１又は２記載の自動ライン引き装置。
【請求項４】
直線及び曲線をライン引きすべく、金属線と金属探知センサーを設けてなることを特徴とする請求項１・２又は３記載の自動ライン引き装置。
【請求項５】
前記ライン引き本体に、ハンドル部を設け、手動に切り替えることのできる切替スイッチを設けてなることを特徴とする請求項１・２・３又は４記載の自動ライン引き装置。
【発明の詳細な説明】
【技術分野】
【０００１】  本発明は、野球や運動会等で運動場にラインを自動で引くことのできる自動ライン引き装置に関するものである。
【背景技術】
【０００２】  同様なものはないが、例えば、従来品の技術として、車輪とハンドルとを有する本体にライン引き用液を入れた容器を載せ、容器内のライン引き用液を本体の特定の箇所に設けた流出口まで導管で導いたことを特徴とするライン引きがある。（特許文献１参照）【０００３】  また、別の従来技術として、野球及びソフトボールのグランドコートのラインを引くために本塁、１塁、２塁と３塁の各ベース間とその対角のベース間をラインでつなげて一人でしかも簡単で正確に素早くライン引きを可能にするライン引きの補助具がある（特許文献２参照）【０００４】  さらに、別の従来技術として、石灰などの粉体を充填するための開鎖可能な開口部と、該粉体を放出するための複数のスリットからなる放出口とを有する該粉体を収容するための容器と、前記容器の下部を貫く車軸の両端に着脱可能に設けられた車輪と、前記容器の放出口から粉体を放出するための羽車とを備えた屋外の運動場や競技場の地面にラインを引くための装置であって、前記羽車が、前記車軸に同軸状に固定された円中体と、該円柱体の外周に設けられた複数の羽根とからなり、当該複数の羽根の先端が前記スリットから容器の外に突出することを特徴としているものがある。（特許文献３参照）
【先行技術文献】
【特許文献】
【０００５】
【特許文献１】  特開平１１−８９９９３号公報
【特許文献２】  特開２００４−６５８８８号公報
【特許文献３】  特開２００６−２２３８３９号公報
【発明の概要】
【発明が解決しようとする課題】
【０００６】  前記前者においては、ライン引き用液を流出口まで導管で導いたもので、本発明とは、本質的に異なるものである。【０００７】  前記中者は、ライン引きの補助具であり、本発明のような自動でラインを引くことのできるものではない。【０００８】  前記後者は、排出出口から放出される粉体の量が一定で、引かれたラインに凹凸を生じることがないものであり、これもまた、本発明のような自動でラインを引くものではない。【０００９】  本発明は、このような従来の構成が有していた問題を解決しようとするもので、自動で運動場等に直線及び曲線のライン引きができると共に、手動にてもライン引きできる自動ライン引き装置を提供することを目的とする。
【課題を解決するための手段】
【００１０】  本発明は、上記目的を達成するために、ライン引き本体に、少なくとも１輪を左右前後自在に駆動する駆動輪を設けると共に、駆動輪を制御し、ライン粉を必要量落下させるライン部を制御する制御部を設けてなること。直線ラインを引きやすくすべく、反射板とレーザー送受信装置を設けてなること。曲線ラインを引きやすくすべく、少なくとも２点のデータを入力することにより制御できる曲線制御部を設けてなること。直線及び曲線ラインを引きやすくすべく、金属線と金属探知センサーを設けてなること。前記ライン引き本体に、ハンドル部を設け、手動に切り替えることのできる切替スイッチを設けてなることを特徴とするものである。
【発明の効果】
【００１１】１）、ライン引き本体に、駆動輪を少なくとも１輪設けることにより、制御部と連動し、必要なラインを自在（自動）に引くことができる。
２）、反射板とレーザー装置により、特に直線ライン引きするときに有効です。
３）、曲線制御部にデータを入力することにより、自在（自動）に曲線のライン引きができる。
４）、金属線と金属探知センサーにより、直線及び曲線を自在（自動）にライン引きできる。
５）、切替スイッチにより、手動でライン引きができるものである。
【図面の簡単な説明】
【００１２】
【図１】  本発明の自動ライン引き装置の第１実施例を示す側面図。
【図２】  本発明の自動ライン引き装置の第１実施例を示す平面図。
【図３】  本発明の自動ライン引き装置の第２実施例を示す曲線ライン引き図。
【図４】  本発明の自動ライン引き装置の第２実施例を示す曲線ライン引きの流れ図。
【図５】  本発明の自動ライン引き装置の第３実施例を示す側面図。
【図６】  本発明の自動ライン引き装置の第３実施例を示す平面図。
【図７】  本発明の自動ライン引き装置の第４実施例を示す要部の平面図。
【発明を実施するための形態】
【００１３】  自動ライン引き装置１は箱状のライン引き本体２の下方前部両側に、左右前後自在に駆動する２輪の駆動輪３（バッテリー式が望ましい）を設けると共に、駆動部３を制御し、ライン粉ＲＩＫを必要量落下させるライン部４を制御し、かつ、直線をライン引きすべく、反射板５とレーザー送受信装置６を制御する制御部７を設けてある。
また、データ入力等はデータ器８で行うものとする。
なお、必要に応じてハンドル９を設けてある。（図１・図２参照）
【００１４】  この自動ライン引き装置１の使用例について説明する。
運動場（図示せず）等に直線ラインを引く場、スタート時点に自動ライン引き装置１を置き、直線を引く最終点に反射板５を置く。
この状態でレーザー光ＲＫを発信し、反射板５にてレーザー光ＲＫを反射し、受信しながら前方へ進み、同時にライン部４からライン粉ＲＩＫを落下させるものである。（図１・図２参照）
なお、ＯＮ・ＯＦＦ等は、データ器８で行うものとする。
【００１５】  つぎに、第２実施例の自動ライン引き装置について説明する。
この自動ライン引き装置２１は、上記自動ライン引き装置１の制御部７に加え、少なくとも２点のデータを入力することにより曲線を制御する曲線制御部２７を設けてなるもので、データ器８にてデータを入力すればよい。
【００１６】  曲線の使用例としては、運動場Ｕ（運動会用）において曲線（カーブ）をライン引きする場合、すでに直線Ｓ―――をライン引きした後、曲線制御部２７にデータ器８にてまずａ点の位置を入力する。
つぎに、角度Ｋを入力する。
つづいて、ａ点とｂ点の寸法Ｈを入力する。
そして、自動ライン引き装置２１をスタートさせれば、自動的に曲線ＫＳをライン引きすることができる。（図３・図４参照）
【００１７】  つづいて、第３実施例の自動ライン引き装置を説明する。
自動ライン引き装置３１は、上記自動ライン引き装置１と同様なライン引き本体３２と駆動輪３３とライン部３４と制御部３７を設けてある。
加えて、ライン引き本体３２の下方前部一側端に、直線及び曲線をライン引きすべく金属探知センサー３６と、金属探知センサー３６に対応する金属線３５（針金等でも良い）とを設けてある。
（図５・図６参照）
【００１８】  最後に、第４実施例の自動ライン引き装置を説明する。
自動ライン引き装置４１は、ハンドル部４９に、自動及び手動を切り替える切替スイッチ１０を設けてある。
【００２０】  上記各実施例において、ライン引き本体の大きさ、ライン粉の成分等、特に限定するものではない。
また、センサーとして磁気センサーを使用し、それに対応する磁気テープを採用しても良い。
【産業上の利用の可能性】
【００２１】  主に、スポーツ関係において、広い運動場等で各種ゲームをスポット的に行う場合に有効で、寸法通りのライン引き作業を自動で行うことができ、産業上非常に有効である。
【符号の説明】
【００２２】１―――自動ライン引き装置
２―――自動ライン引き本体
３―――駆動輪
４―――ライン部
５―――反射板
６―――レーザー送受信装置
７―――制御部
８―――データ器
９―――ハンドル
１０――切替スイッチ
【図１】
2016198462.tif 000003
【図２】
2016198462.tif 000004
【図３】
2016198462.tif 000005
【図４】
2016198462.tif 000006
【図５】
2016198462.tif 000007
【図６】
2016198462.tif 000008
【図７】
2016198462.tif 000009